(57)【要約】【課題】床部の上面に勾配を付けた床パンを製造するに当たり、金型の数を極力減らすことができる床パンを提供する【解決手段】本発明は、排水口２６が設けられた矩形状の床部２と、この床部２の外周部に立設された壁載置部３とを備えたユニットルーム用の床パン１である。床部２の一辺に沿った方向が第１の方向６０として、この第１の方向６０とは直角な方向が第２の方向６１として定義される。床部２の上面は、第１の方向６０においては排水口２６側に向かって下り傾斜し、且つ第２の方向６１においては端部の一定範囲では傾斜しない。床部２の第２の方向６１の端部が原型の床パン１０を切断した切断端部２９である。壁載置部３は、切断端部２９に取り付けられる後付用の壁載置部３を含むものである。【選択図】図１
2014173405.tif 000002
【特許請求の範囲】
【請求項１】
排水口が設けられた矩形状の床部と、
この床部の外周部に立設され上面に壁パネルが載設される壁載置部と
を備えたユニットルーム用の床パンであって、
前記床部の一辺に沿った方向が第１の方向として、この第１の方向とは直角な方向が第２の方向として定義され、
前記床部の上面は、前記第１の方向においては前記排水口側に向かって下り傾斜し、且つ前記第２の方向においては少なくとも端部の一定範囲では傾斜しないものであり、
前記床部の前記第２の方向の端部が原型の床パンを切断した切断端部であり、
前記壁載置部は、前記切断端部に取り付けられる後付用の壁載置部を含むものである
ことを特徴とする床パン。
【請求項２】
前記床部の上面は、前記第２の方向において全長に亙って傾斜しないように形成されており、
前記床部は、第２の方向の中間部に設けられ当該第２の方向において排水口に向かって導水する排水路を有している
ことを特徴とする請求項１に記載の床パン。
【発明の詳細な説明】
【技術分野】
【０００１】
本発明は、ユニットルームに用いられる床パンに関する。
【背景技術】
【０００２】
ユニットルームに用いられる床パンは、通常、ユニットルームの大きさに適合するサイズに成形される。床パンは、射出成形等の樹脂成形により成形されるため、サイズごとに異なる金型が必要になる。しかしながら、床パンのサイズごとに異なる金型が必要になると、多数の金型が必要になるため、金型費が大きく嵩むという問題がある。
【０００３】
これを解消しようとするものとして、例えば特許文献１に記載された浴室用床パンが知られている。この特許文献１記載の浴室用床パンは、原型となる床パンを金型で成形し、その後、必要なサイズに合わせて外周部を切断して使用されるものである。
【０００４】
この特許文献１記載の床パンの周縁には、壁載置部が立設されている。壁載置部には、ユニットルームの壁パネルが載置される。この壁載置部は、床パンの切断された外周部に後付け的に取り付けられる。
【先行技術文献】
【特許文献】
【０００５】
【特許文献１】特開２０１０−１３３１０５号公報
【発明の概要】
【発明が解決しようとする課題】
【０００６】
ところで、この壁載置部の上面は、全長に亙って同一レベルに合わせられる必要がある。この点、この特許文献１記載の床パンの上面には勾配が付けられていないため、壁載置部の上面を全長に亙って同一レベルにするのは容易にできる。
【０００７】
しかしながら、排水口に向かうほど下り傾斜する勾配が床パンに付けられていないと、排水性が悪く、床パンの上面が長時間濡れたままになってしまうという問題が生じる。
【０００８】
ところが、特許文献１記載の浴室用床パンの床面に単に勾配を付けただけでは、切断箇所に応じて壁載置部の上面の高さが変化してしまうため、壁載置部の上面を全長に亙って同一レベルにすることができないという問題がある。
【０００９】
本発明は、上記事情に鑑みてなされたものであり、その目的とするところは、床部の上面に勾配を付けた床パンを製造するに当たり、金型の数を極力減らすことができる床パンを提供することにある。
【課題を解決するための手段】
【００１０】
本発明の床パンは、  排水口が設けられた矩形状の床部と、この床部の外周部に立設され上面に壁パネルが載設される壁載置部とを備えたユニットルーム用の床パンであって、前記床部の一辺に沿った方向が第１の方向として、この第１の方向とは直角な方向が第２の方向として定義され、前記床部の上面は、前記第１の方向においては前記排水口側に向かって下り傾斜し、且つ前記第２の方向においては少なくとも端部の一定範囲では傾斜しないものであり、前記床部の前記第２の方向の端部が原型の床パンを切断した切断端部であり、前記壁載置部は、前記切断端部に取り付けられる後付用の壁載置部を含むものであることを特徴とする。
【００１１】
またこの床パンにおいて、前記床部の上面は、前記第２の方向において全長に亙って傾斜しないように形成されており、前記床部は、第２の方向の中間部に設けられ当該第２の方向において排水口に向かって導水する排水路を有していることが好ましい。
【発明の効果】
【００１２】
本発明によれば、製造時において金型の数を極力減らしつつ、床部の上面に勾配を付けた床パンを提供することができる。
【図面の簡単な説明】
【００１３】
【図１】実施形態１の床パンの斜視図である。
【図２】実施形態１のユニットルームの要部断面図である。
【図３】実施形態１の変形例の床パンの斜視図である。
【図４】実施形態１の原型となる床パンの斜視図である。
【図５】実施形態１の床パンの床部を切断した状態の斜視図である。
【図６】実施形態１の壁載置部の斜視図である。
【図７】実施形態１の壁載置部の周辺の要部断面図である。
【図８】実施形態１の床パンの床部を切断した別の例の斜視図である。
【図９】実施形態１の床パンの床部を切断した別の例の斜視図である。
【図１０】実施形態２の床パンの斜視図である。
【発明を実施するための形態】
【００１４】
以下、本発明の実施形態について添付図面に基づいて説明する。
【００１５】
実施形態１の床パン１は、ユニットルームに用いられる。ユニットルームは、シャワールームであってもよいし、洗い場と浴槽とを有するユニットバスルームであってもよいし、浴槽と便器とを有するユニットバスルームであってもよい。なお、本実施形態のユニットルームは、洗い場と浴槽とを有するユニットバスルームである。
【００１６】
このユニットルームは、図２に示すように、床パン１と、壁パネル４と、天井パネル（図示せず）とを備えている。床パン１の下面には、アジャスターボルト５が取り付けられる。アジャスターボルト５は、設置面７上に床パン１を支持する。壁パネル４は、床パン１の外周部に設けられた壁載置部３に立設される。天井パネルは、壁パネル４の上端に載設されている。なお、壁パネル４の一部には、扉枠と扉が設けられている。
【００１７】
床パン１は、ユニットルームの床を構成する。床パン１は、切断可能な合成樹脂により成形されている。床パン１は、射出成形や注型成形等の樹脂成形により成形されている。床パン１は、図１に示すように、長さと幅とを有しており、平面視略矩形状をしている。
【００１８】
なお、本実施形態では、第１の方向６０は、床パン１の長さ方向に平行な方向として定義される。また、第２の方向６１は、床パン１の幅方向に平行な方向として定義される。
【００１９】
床パン１は、床部２と、壁載置部３とを備えている。壁載置部３は、床パン１の外周部に立設されている。
【００２０】
床部２は、第１の方向６０（長さ方向）および第２の方向６１（幅方向）に長さを有し、平面視矩形状をしている。床部２は、第一面部２１と、第二面部２３と、この第一面部２１と第二面部２３との間に設けられた堰部２５とを備えている。第一面部２１は、具体的には洗い場部２２である。第二面部２３は、具体的には、浴槽設置部２４である。洗い場部２２と浴槽設置部２４とは、堰部２５を介して連設されている。洗い場部２２の浴槽設置部２４側の端部は、浴槽設置部２４の洗い場部２２側の端部よりも低くなるように形成されている。
【００２１】
なお、第一面部２１と第二面部２３とは、洗い場部２２、浴槽設置部２４に特に限定されない。
【００２２】
洗い場部２２には、排水口２６が設けられている。排水口２６は、堰部２５に隣接配置されている。また、排水口２６は、第２の方向６１の中央に配置されている。なお、この排水口２６は、床部２の下方に設けられた排水トラップ（図示せず）に連通している。また、排水口２６には、開閉自在な蓋２７が設置される。
【００２３】
また、洗い場部２２には、排水路２８が設けられている。この排水路２８は、第２の方向６１に長さを有し、第１の方向６０に幅を有している。排水路２８は、排水口２６に向かうほど下方に位置するように傾斜しており、つまり、排水口２６に向かって導水するように構成されている。排水路２８は、第２の方向６１において中央から両側端部まで一定の長さを有している。排水路２８の第２の方向６１の端部は、床部２の端縁とは離間している。言い換えると、排水路２８は、第２の方向６１の中間部に設けられている。
【００２４】
洗い場部２２の上面は、第１の方向６０において、全面が中央側（浴槽設置部２４側）に向かうほど下方に位置するように傾斜している。また、浴槽設置部２４は、第１の方向６０において、全面が中央側（洗い場部２２側）に向かうほど下方に位置するように傾斜している。言い換えると、床部２の上面は、第１の方向６０においては、排水口２６側に向かって下り傾斜している。
【００２５】
また、洗い場部２２の上面は、第２の方向６１において、排水路２８を除く全面（略全面）が勾配を有していない。また、浴槽設置部２４の上面は、第２の方向６１において、全面が勾配を有していない。言い換えると、床部２の上面は、第２の方向６１においては、傾斜していない。
【００２６】
なお、この第２の方向６１における床部２の上面は、図３に示すような勾配を有していてもよい。
【００２７】
図３に示す洗い場部２２の上面は、第２の方向６１の中間部においては、排水口２６側（中央側）に向かうほど下方に位置するよう傾斜している。洗い場部２２の上面は、第２の方向６１の両端部の一定範囲では傾斜しておらず、第２の方向６１の中間部においてのみ、排水口２６に向かって下り傾斜している。なお、第１の方向６０においては、本実施形態と同様、排水口２６側に向かって下り傾斜している。
【００２８】
つまり、本実施形態の床部２の上面は、第１の方向６０においては排水口２６側に向かって下り傾斜し、且つ第２の方向６１においては少なくとも端部の一定範囲では傾斜しないものであればよい。
【００２９】
堰部２５は、床部２の第１の方向６０の中央に設けられている。堰部２５は、洗い場部２２と浴槽設置部２４との境界部分に設けられている。堰部２５は、床部２の第２の方向６１の全長に亙って設けられている。
【００３０】
なお、堰部２５は、床部２の第１の方向６０の中央でなくてもよく、第１の方向６０のいずれかの端部に寄った位置に設けられていてもよい。
【００３１】
壁載置部３は、床部２の外周部に立設されている。壁載置部３は、図２に示すように、上方に臨む載置面３１を有している。載置面３１は水平面である。載置面３１には、壁パネル４が載設される。
【００３２】
このような構成の床パン１は、図４に示すように、一回り大きな原型の床パン１０の外周部を切断し、後付け的に壁載置部３を装着することで形成される。なお、図中の一点鎖線は、本実施形態の床パン１を製造するに当たり、原型の床パン１０を切断するための切断線を示す。
【００３３】
なお、原型となる床パン１０をそのまま使用できる場合には、加工することなくそのままのサイズでユニットルームに用いられる。
【００３４】
床部２は、原型となる床パン１０の第２の方向６１の両端部を、第２の方向６１とは直角な方向の全長に亙って切断し、且つ第１の方向６０の一方の端部を、この第１の方向６０とは直角な方向の全長に亙って切断することで形成される。本実施形態の床部２は、図５に示すように、切断することで形成された切断端部２９を有している。
【００３５】
この第２の方向６１の切断する箇所は、第２の方向６１の傾斜しない部分である（以下、切断可能部という。）。従って、図３に示す変形例においては、第２の方向６１の中間部の両側の箇所が切断可能部となっており、この切断可能部において第２の方向６１とは直角な方向に切断される。
【００３６】
この切断端部２９には、後付け用の壁載置部３が取り付けられる。なお、この後付け用の壁載置部３として、図６に示すようなピース材３０が用いられる。
【００３７】
図６に示すピース材３０は、第２の方向６１の端部に取り付けられるピース材３０である。このピース材３０は、第１の方向６０に長さを有し、上下方向６２に幅を有し、第２の方向６１に厚さを有している。ピース材３０は、溝部３２と、載置面３１と、固着具挿通部３８とを備えている。なお、このピース材３０は、床パン１の第１の方向６０の長さに合わせて切断される。
【００３８】
溝部３２は、ピース材３０の長さ方向に沿って設けられている。溝部３２は、洗い場部２２に対応する第１の溝部３３と、浴槽設置部２４に対応する第２の溝部３４と、堰部２５に対応する第３の溝部３５とにより構成されている。第１の溝部３３には、洗い場部２２の第２の方向６１の端部が挿入される。第２の溝部３４には、浴槽設置部２４の第２の方向６１の端部が挿入される。第３の溝部３５には、堰部２５の第２の方向６１の端部が挿入される。第１の溝部３３と第２の溝部３４と第３の溝部３５とは連続している。
【００３９】
溝部３２は、上側凹部３６と下側凹部３７とを有している。上側凹部３６および下側凹部３７には、図７に示すように、シーリング材（例えば、シリコン）が充填される。この上側凹部３６は、溝部３２の開口上縁部に設けられている。また、下側凹部３７は、溝部３２の開口下縁部に設けられている。上側凹部３６および下側凹部３７は、ピース材３０の長さ方向の全長に亙って設けられている。
【００４０】
固着具挿通部３８は、載置面３１に設けられている。固着具挿通部３８は、ザグリ加工をすることで形成されており、これにより、固着具が挿入されても、固着具の頭部が載置面３１から突出しないように構成されている。
【００４１】
このような構成のピース材３０は、次のようにして取り付けられる。施工者は、ピース材３０の溝部３２に湿式の止水材（例えば、不乾性のパテ）を充填する。その後、施工者は、床部２の切断端部２９を溝部３２に挿入する。この状態で、施工者は、固着具挿通部３８および切断端部２９に固着具（例えば、タッピングねじ）をねじ込み、床部２の切断端部２９にピース材３０を固定する。
【００４２】
その後、施工者は、上側凹部３６および下側凹部３７内に、シーリング材を充填する。このとき、施工者は、シーリング材を指で押圧しながら配設することが好ましい。その後、施工者は、固着具挿通部３８内にシーリング材を充填する。
【００４３】
第１の方向６０の切断端部２９に取り付けられるピース材は、上述のピース材３０と同様の構成であるため、説明は省略する。なお、この第１の方向６０の切断端部２９に取り付けられるピース材は、第１の方向６０の切断位置に応じて、高さが変化するため、複数種類のピース材が用意される。
【００４４】
以上、説明したように本実施形態の床パン１は、排水口２６が設けられた床部２と、この床部２の外周部に立設された壁載置部３とを備えている。床部２は、矩形状に形成されている。壁載置部３の上面には、壁パネル４が載設される。床部２の一辺に沿った方向が、第１の方向６０として、この第１の方向６０とは直角な方向が第２の方向６１として定義される。床部２の上面は、第１の方向６０においては、排水口２６側に向かって下り傾斜している。また、床部２の上面は、第２の方向６１においては、少なくとも端部の一定範囲では傾斜しない。また、床部２は、切断端部２９を有している。この切断端部２９は、原型の床パン１０を切断した切断面を有する端部である。壁載置部３は、切断端部２９に取り付けられる後付用の壁載置部３を含む。
【００４５】
このため、本実施形態の床パン１は、床部２の上面に勾配が付けられていても、原型となる床パン１０を切断することで形成することができる。すなわち、本実施形態の床パン１は、第２の方向６１の端部の一定範囲では第２の方向６１に傾斜していないため、第２の方向６１の端部に共通の壁載置部３を取り付けても、載置面３１の高さを同一レベルにすることができる。これにより、成形に必要な金型の数を極力減らすことができ、また、床部２の上面の排水性を向上させることができる。
【００４６】
また、本実施形態の床部２の上面は、第２の方向６１において全長に亙って傾斜しないように形成されている。また床部２は、排水路２８を有している。この排水路２８は、第２の方向６１の中間部に設けられており、当該第２の方向６１において排水口２６に向かって導水するものである。
【００４７】
このため、本実施形態の床パン１によれば、床部２の上面から流下した水を排水口２６に効果的に流すことができる。
【００４８】
また、本実施形態の壁載置部３には、床部２の切断端部２９を挿入する溝部３２が設けられている。溝部３２には、その開口上縁に上側凹部３６が設けられ、開口下縁に下側凹部３７が設けられている。
【００４９】
このため、施工者は、上側凹部３６に十分なシーリング材を充填することができる上に、目視しながら、指で押圧してシーリング材を配設することができる。これにより、本実施形態の床パン１のように壁載置部３を一体成形したものでなくても、止水性を確保することができる。
【００５０】
なお、本実施形態では、原型の床パン１０の第２の方向６１の両端と、第１の方向６０の一方の端部とを切断したが、例えば、図８に示すように切断してもよい。
【００５１】
この床パン１は、原型の床パン１０の第２の方向６１の両端部のみを切断した例である。第１の方向６０の端部は切断しない。床パン１は、原型の床パン１０の第２の方向６１の傾斜しない部分において、第２の方向６１とは直角な方向の全長に亙って切断されている。この場合、第２の方向６１の両端部の切断端部２９にのみ、ピース材３０が取り付けられる。
【００５２】
また、原型の床パン１０を、例えば、図９に示すように切断してもよい。
【００５３】
この床パン１は、原型の床パン１０の第２の方向６１の一方の端部のみを切断した例である。床パン１は、原型の床パン１０の第２の方向６１の傾斜しない部分において、第２の方向６１とは直角な方向の全長に亙って切断されている。この場合、第２の方向６１の一方の端部の切断端部２９にのみ、ピース材３０が取り付けられる。
【００５４】
次に、実施形態２について図１０に基づいて説明する。なお、本実施形態は実施形態１の構成と大部分において同じであるため、同じ部分においては同符号を付して説明を省略し、主に異なる部分について説明する。
【００５５】
実施形態２の床パン１は、ユニットルームとしてのシャワールームに用いられる床パン１である。床パン１は、床部２と、壁載置部３とを備えている。
【００５６】
床部２は、第一面部２１と、第二面部２３と、堰部２５とを備えている。第一面部２１に排水口２６が設けられ、第二面部２３にも排水口２６が設けられている。第一面部２１の上面は、第１の方向６０において、排水口２６に向かって下り傾斜し、且つ、第２の方向６１においては傾斜していない。第二面部２３の上面は、第１の方向６０において、排水口２６に向かって下り傾斜し、且つ、第２の方向６１においては傾斜していない。
【００５７】
壁載置部３の構造は、実施形態１と同じである。但し、溝部３２の形状は、床部２の形状に適合するように形成されている。
【００５８】
この床パン１も、実施形態１と同様、原型となる床パン１０の外周端部を切断することで形成されている。従って、この実施形態２の床パン１によっても、成形に必要な金型の数を極力減らすことができ、また、床部２の上面の排水性を向上させることができる。
【００５９】
なお、本実施形態の床パンは、工場出荷時に工場で製造されるものであるが、本発明の床パンは、施工現場で加工することで形成したものであってもよい。
【符号の説明】
【００６０】
１      床パン
２      床部
２１    第一面部
２２    洗い場部
２３    第二面部
２４    浴槽設置部
２５    堰部
２６    排水口
２７    蓋
２８    排水路
２９    切断端部
３      壁載置部
３０    ピース材
３１    載置面
３２    溝部
３６    上側凹部
３７    下側凹部
４      壁パネル
６０    第１の方向
６１    第２の方向
【図１】
2014173405.tif 000003
【図２】
2014173405.tif 000004
【図３】
2014173405.tif 000005
【図４】
2014173405.tif 000006
【図５】
2014173405.tif 000007
【図６】
2014173405.tif 000008
【図７】
2014173405.tif 000009
【図８】
2014173405.tif 000010
【図９】
2014173405.tif 000011
【図１０】
2014173405.tif 000012